(57)【要約】  運転時における負荷の状態によらず、導通損失の低減を図ることが可能なモータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機を得ること。上段側スイッチング素子１２〜１４および下段側スイッチング素子１５〜１７がブリッジ接続されたインバータ回路１８と、インバータ回路１８のゲート信号を生成する際に、上段側スイッチング素子１２〜１４のオフ期間において、下段側スイッチング素子１５〜１７に流れる還流電流をＩ、寄生ダイオードの順方向電圧をＶｆ、ＭＯＳＦＥＴのオン抵抗をＲｏｎとしたとき、Ｉ＜Ｖｆ／Ｒｏｎの関係を満たす条件下において、還流電流が流れるタイミングに同期して下段側スイッチング素子１５〜１７をオン制御する同期整流を行うゲート信号生成部６とを備える。
2014054096.tif 000002
【特許請求の範囲】
【請求項１】
ロータの位置を検出する位置検出センサと、
ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、
前記各上段側スイッチング素子を駆動する上段側ドライバ回路と、
前記各下段側スイッチング素子を駆動する下段側ドライバ回路と、
前記位置検出センサからの位置検出信号と外部から入力される出力電圧指令とに基づいて、前記インバータ回路を駆動するためのゲート信号を生成するゲート信号生成部と、
を備え、
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行うことを特徴とするモータ駆動回路。
【請求項２】
前記インバータ回路、前記上段側ドライバ回路、および前記下段側ドライバ回路が単一のパッケージ内に構成され、当該パッケージと前記ゲート信号生成部とが単一のプリント基板上に実装され、当該プリント基板とモータとがモールド樹脂により一体化されて駆動回路内蔵モータが構成されることを特徴とする請求項１に記載のモータ駆動回路。
【請求項３】
前記ゲート信号生成部は、前記ゲート信号の基準となる基準クロック信号の発振周波数を決定する発振周波数決定用コンデンサを含み単一のチップ上に構成されたことを特徴とする請求項２に記載のモータ駆動回路。
【請求項４】
前記ＭＯＳＦＥＴは、ワイドバンドギャップ半導体によって形成されていることを特徴とする請求項１に記載のモータ駆動回路。
【請求項５】
前記ワイドバンドギャップ半導体は、炭化珪素、窒化ガリウム系材料、またはダイヤモンドであることを特徴とする請求項４に記載のモータ駆動回路。
【請求項６】
前記ＭＯＳＦＥＴは、スーパージャンクション構造のＭＯＳＦＥＴであることを特徴とする請求項１に記載のモータ駆動回路。
【請求項７】
前記プリント基板の外形が半月形状であることを特徴とする請求項２に記載のモータ駆動回路。
【請求項８】
請求項１〜７のいずれか一項に記載のモータ駆動回路を内蔵し、
前記モータ駆動回路を構成する各部品のうち、面実装型部品を前記プリント基板の一方の面に実装すると共に、スルーホール実装型部品を前記プリント基板の他方の面に実装し、
前記プリント基板の前記面実装型部品を実装した面をステータに面して配置し、該プリント基板上の前記モータ駆動回路と前記ステータとを電気的に結合して前記モールド樹脂により封止して構成したことを特徴とする駆動回路内蔵モータ。
【請求項９】
前記インバータ回路、前記上段側ドライバ回路、および前記下段側ドライバ回路が単一のパッケージ内に構成された前記スルーホール実装型部品として構成され、前記ゲート信号生成部が単一のパッケージ内に構成された前記面実装型部品として構成されたことを特徴とする請求項８に記載の駆動回路内蔵モータ。
【請求項１０】
請求項８または９に記載の駆動回路内蔵モータを搭載したことを特徴とする空気調和機。
【請求項１１】
請求項８または９に記載の駆動回路内蔵モータを搭載したことを特徴とする換気扇。
【請求項１２】
請求項１〜７のいずれか一項に記載のモータ駆動回路を内蔵したことを特徴とする駆動回路内蔵ポンプモータ。
【請求項１３】
請求項１２に記載の駆動回路内蔵ポンプモータを搭載したことを特徴とするヒートポンプ給湯機。
【請求項１４】
請求項１２に記載の駆動回路内蔵ポンプモータを搭載したことを特徴とする内蔵冷温水循環式空調機。
【発明の詳細な説明】
【技術分野】
【０００１】
本発明は、モータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機に関する。
【背景技術】
【０００２】
従来、ＭＯＳＦＥＴとその寄生ダイオードとが逆並列に接続された複数のスイッチング素子をブリッジ接続して構成されたインバータ回路を用いてモータを駆動する際、寄生ダイオードに逆方向電流が流れた際にＭＯＳＦＥＴをオンにし、ＭＯＳＦＥＴ側に逆方向電流を流す同期整流を行うことにより逆方向電流が流れた際の導通損失の低減を図るものがある（例えば、特許文献１）。
【先行技術文献】
【特許文献】
【０００３】
【特許文献１】特開２００９−１８３１１５号公報
【発明の概要】
【発明が解決しようとする課題】
【０００４】
しかしながら、運転時における特定の負荷条件下では、同期整流を行わない方が導通損失を小さくすることができる場合があり、常時同期整流を行う上記従来技術では、逆に導通損失が増加する場合がある、という問題があった。【０００５】
本発明は、上記に鑑みてなされたものであって、運転時における負荷の状態によらず、導通損失の低減を図ることが可能なモータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機を提供することを目的とする。
【課題を解決するための手段】
【０００６】
上述した課題を解決し、目的を達成するため、本発明にかかるモータ駆動回路は、ロータの位置を検出する位置検出センサと、ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、前記各上段側スイッチング素子を駆動する上段側ドライバ回路と、前記各下段側スイッチング素子を駆動する下段側ドライバ回路と、前記位置検出センサからの位置検出信号と外部から入力される出力電圧指令とに基づいて、前記インバータ回路を駆動するためのゲート信号を生成するゲート信号生成部と、を備え、前記ゲート信号生成部は、前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行うことを特徴とする。
【発明の効果】
【０００７】
本発明によれば、運転時における負荷の状態によらず、導通損失の低減を図ることが可能なモータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機を得ることができる、という効果を奏する。
【図面の簡単な説明】
【０００８】
【図１】図１は、実施の形態にかかるモータ駆動回路、およびこのモータ駆動回路を搭載した駆動回路内蔵モータの一構成例を示す図である。
【図２】図２は、実施の形態にかかるモータ駆動回路におけるゲート信号生成部の一構成例を示す図である。
【図３】図３は、実施の形態にかかる駆動回路内蔵モータの構造例を示す図である。
【図４】図４は、実施の形態にかかるモータ駆動回路のプリント基板上における部品配置の一例を示す図である。
【図５】図５は、実施の形態にかかるモータ駆動回路を構成する各部品を実装するプリント基板の平面図である。
【図６】図６は、実施の形態にかかるモータ駆動回路において、一相のステータ巻線と各スイッチング素子との接続を示す図である。
【図７】図７は、実施の形態にかかるモータ駆動回路におけるスイッチングパターンの一例を示す図である。
【図８】図８は、実施の形態にかかる空気調和機の室内機および室外機の概観図である。
【図９】図９は、図８に示す室内機の縦断面図である。
【図１０】図１０は、実施の形態にかかる駆動回路内蔵ポンプモータの縦断面図である。
【発明を実施するための形態】
【０００９】
以下に添付図面を参照し、本発明の実施の形態にかかるモータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機について説明する。なお、以下に示す実施の形態により本発明が限定されるものではない。
【００１０】
実施の形態．
図１は、実施の形態にかかるモータ駆動回路、およびこのモータ駆動回路を搭載した駆動回路内蔵モータの一構成例を示す図である。図１に示すように、実施の形態にかかるモータ駆動回路３は、主たる構成要素として、位置検出センサ５と、ゲート信号生成部６と、モータ駆動部７とを備えている。このモータ駆動回路３の出力がモータ８のステータ巻線（図示せず）に接続されて実施の形態にかかる駆動回路内蔵モータ４が構成される。
【００１１】
位置検出センサ５は、例えば、ホール素子が樹脂により封止されたホールＩＣで構成され、ロータ（図示せず）の磁極位置に応じたパルス状の位置検出信号を出力する。
【００１２】
モータ駆動部７は、上段側スイッチング素子１２〜１４および下段側スイッチング素子１５〜１７がブリッジ接続され構成されたインバータ回路１８、上段側ドライバ回路９、および下段側ドライバ回路１０を含み構成される。このモータ駆動部７の各構成要素の主要部は、例えば、専用のパワーＩＣの単一パッケージ内に構成される。また、本実施の形態では、上段側スイッチング素子１２〜１４および下段側スイッチング素子１５〜１７は、ＭＯＳＦＥＴとこのＭＯＳＦＥＴの寄生ダイオードとが逆並列に接続され形成されている。
【００１３】
インバータ回路１８には、高圧直流電源１から１００Ｖ〜４００Ｖの高電圧が印加され、上段側ドライバ回路９、および下段側ドライバ回路１０には、低圧直流電源２から３Ｖ〜２０Ｖの低電圧が印加されている。
【００１４】
インバータ回路１８を構成する各上段側スイッチング素子１２，１３，１４および各下段側スイッチング素子１５，１６，１７は、例えば、ＭＯＳＦＥＴで構成され、上段側スイッチング素子１２と下段側スイッチング素子１５の接続点、上段側スイッチング素子１３と下段側スイッチング素子１６の接続点、および上段側スイッチング素子１４と下段側スイッチング素子１７の接続点からモータ８の三相の各ステータ巻線（図示せず）に駆動電流を供給する。以下、各上段側スイッチング素子１２，１３，１４および各下段側スイッチング素子１５，１６，１７を特に区別する必要がない場合には、単に「各スイッチング素子１２〜１７」という。
【００１５】
上段側ドライバ回路９は、例えば、モータ駆動部７を構成するパワーＩＣ内部の金属リードフレームに実装され、樹脂により封止されたＨＶＩＣ（Ｈｉｇｈ  Ｖｏｌｔａｇｅ  ＩＣ）により構成され、ゲート信号生成部６から入力されるゲート信号をもとに、高電位側に接続される各上段側スイッチング素子１２〜１４を駆動する。
【００１６】
この上段側ドライバ回路９の高耐圧部には、ＰＮ接合分離構造もしくは誘電体分離構造を用いる。ＨＶＩＣの高耐圧部をＰＮ接合分離構造とした場合は、誘電体分離構造とした場合に比べて、安価なＨＶＩＣが得られる。また、ＨＶＩＣの高耐圧部を誘電体分離構造とした場合は、ＰＮ接合分離構造とした場合に比べて、例えばラッチアップを防止することができるといった信頼性の高いＨＶＩＣが得られる。
【００１７】
下段側ドライバ回路１０は、例えば、モータ駆動部７を構成するパワーＩＣ内部に樹脂により封止されたＬＶＩＣ（Ｌｏｗ  Ｖｏｌｔａｇｅ  ＩＣ）により構成され、ゲート信号生成部６から入力されるゲート信号をもとに、低電位側に接続される各下段側スイッチング素子１５〜１７を駆動する。
【００１８】
ここで、上段側ドライバ回路９および下段側ドライバ回路１０は、それぞれの信号遅延時間が同等となるように設計管理し、また、温度特性をそろえるために、インバータ回路１８を構成する各スイッチング素子１２〜１４と共に、パワーＩＣの単一パッケージ内に封止する。また、ＨＶＩＣの高電位側であるゲート出力の電源生成用のブートストラップダイオード１１も、同様にパワーＩＣの単一パッケージ内に封止する。なお、上段側ドライバ回路９および下段側ドライバ回路１０の双方を誘電体分離構造とした場合には、単一の半導体素子上に形成することも可能である。
【００１９】
図２は、実施の形態にかかるモータ駆動回路におけるゲート信号生成部の一構成例を示す図である。
【００２０】
図２に示すように、ゲート信号生成部６は、ゲート信号生成回路６０、発振回路６１、発振周波数決定用コンデンサ６２、および発振周波数決定用抵抗６３を含み構成される。これらゲート信号生成回路６０、発振回路６１、および発振周波数決定用コンデンサ６２を含むゲート信号生成部６の各構成要素の主要部は、例えば、専用ＩＣやマイコン等の単一パッケージ内に構成される。このゲート信号生成部６には、低圧直流電源２から３Ｖ〜２０Ｖの低電圧が印加されている。
【００２１】
ゲート信号生成回路６０は、外部から入力される出力電圧指令および位置検出センサ５から入力される位置検出信号に基づいて、インバータ回路１８を構成する各スイッチング素子１２〜１７用の各変調信号を生成し、これらの各変調信号と三角波信号とを比較して、各スイッチング素子１２〜１７用の各ゲート信号を生成して、モータ駆動部内蔵ＩＣ７内の上段側ドライバ回路９および下段側ドライバ回路１０に出力する。
【００２２】
発振回路６１は、ゲート信号生成回路６０の基準クロック信号を生成する。この基準クロック信号の発振周波数は、発振周波数決定用コンデンサ６２および発振周波数決定用抵抗６３により決定されるが、本実施の形態では、ゲート信号生成部６を構成する他の主要構成部と単一のチップ上に発振周波数決定用コンデンサ６２を形成することにより、発振周波数決定用コンデンサ６２の容量値のばらつきによる基準クロック信号の発振周波数のばらつきをＩＣの製造・検査工程で管理可能としている。例えば、チップの製造条件によるばらつきが大きい場合には、製造工程においてレーザによるトリミングを行う。また、ばらつきが比較的小さい場合には、検査工程において選別を行う。これにより、ＩＣの外部に発振周波数決定用コンデンサ６２を実装した場合に比べ、基準クロック信号の発振周波数のばらつきを小さくすることができる。
【００２３】
つぎに、実施の形態にかかるモータ駆動回路３のプリント基板上における部品配置および駆動回路内蔵モータ４の構造について、図３および図４を参照して説明する。
【００２４】
図３は、実施の形態にかかる駆動回路内蔵モータの構造例を示す図である。図３（ａ）は、モータ８とモータ駆動回路３の各部品１０１，１０２，１０３が実装されたプリント基板２１とを組み合わせてモールド樹脂２３で一体化した側面断面図を示し、図３（ｂ）は、図３（ａ）に示す矢視透視図を示している。
【００２５】
図３に示すように、図１に示したモータ駆動回路３を構成する各部品１０１，１０２，１０３は、出力電圧指令を生成する外部回路（図示せず）や、高圧直流電源１、低圧直流電源２等と接続するための外部接続リード１９のコネクタ部品１０４と共に単一のプリント基板２１上に実装され、そのプリント基板２１がステータコアに巻線を巻回されて構成されるモータ８に対向配置されている。モータ駆動回路３の出力は、モータ８の巻線と電気的に結合するための接続端子２２に半田付けされている。また、プリント基板２１およびモータ８は、モールド樹脂２３により封止されて機械的に結合され一体化している。このモールド樹脂２３は、モータ８のプリント基板２１に面する側にベアリングハウジング２４を形成すると共に、その反対側は、モータ８の内周面に沿ってロータ貫通用穴２５が空けられている。このロータ貫通用穴２５に主軸とベアリングとが組み合わされたロータが嵌り、ベアリングハウジング２４とベアリングとを嵌合させる構造となっており、プリント基板２１の中央部には、ベアリングを組み合わせた主軸を貫通させるための円形の穴が空けられている。
【００２６】
図４は、実施の形態にかかるモータ駆動回路のプリント基板上における部品配置の一例を示す図である。図４（ａ）は、図２の上面透視図で見た面と同一の面を示し、図４（ｂ）は、図４（ａ）の裏面を左右反転させて示している。以下、図４（ｂ）に示す面を、モータ８に対向する面であることから、「ステータ側」といい、図４（ａ）に示す面を「反ステータ側」という。
【００２７】
図４において、スルーホール実装型部品１０１は、例えば、図１において説明したモータ駆動部７の各構成要素の主要部がパッケージ化されたパワーＩＣであり、面実装型部品１０２は、例えば、図１において説明したゲート信号生成部６の各構成要素の主要部がパッケージ化された専用ＩＣやマイコンであり、面実装型部品１０３は、例えば、図１において説明した位置検出センサ５であるホール素子が樹脂により封止されたホールＩＣである。なお、以下の説明では、外部接続リード１９のコネクタ部品１０４も、スルーホール実装型部品１０４として説明する。
【００２８】
本実施の形態では、図４に示すように、パワーＩＣ等を含むスルーホール実装型部品１０１，１０４をプリント基板２１の反ステータ側に実装し、専用ＩＣやマイコン、ホールＩＣ等を含む面実装型部品１０２，１０３をプリント基板２１のステータ側に実装するようにしている。以下、これによる効果について説明する。
【００２９】
図３に示すように、プリント基板２１のステータ側の面に接するモールド樹脂２３は、モータ８とプリント基板２１との間に介在するため、熱抵抗の大きいプリント基板２１によりモータ８から発せられる熱の伝搬が妨げられ、熱分布が略均一となり温度勾配が小さい。
【００３０】
これに対し、プリント基板２１の反ステータ側の面に接するモールド樹脂２３は、熱抵抗の大きいプリント基板２１とモータ表面との間に介在するため、プリント基板２１に近い程温度が高く、モータ表面に近い程温度が低くなり、プリント基板２１のステータ側の面に接するモールド樹脂２３よりも温度勾配が大きくなる。
【００３１】
つまり、プリント基板２１の反ステータ側の面に実装される部品は、プリント基板２１のステータ側の面に実装される部品よりも、モールド樹脂２３の熱収縮による応力を受けやすい。
【００３２】
本実施の形態では、上述したように、応力によって半田切れの発生し易い面実装型部品１０２，１０３をプリント基板２１のステータ側に実装すると共に、スルーホール実装型部品１０１，１０４をプリント基板２１の反ステータ側に実装することにより、プリント基板２１の半田付け工程を面実装型部品１０２，１０３が実装されたステータ側の面の半田フロー工程のみとすることができ、駆動回路内蔵モータ４を構成するモータ駆動回路３の製造コストを低減することができる。さらに、このプリント基板２１のステータ側の面をモータ８に面して配置し、プリント基板２１上のモータ駆動回路３とモータ８とを電気的に結合してモールド樹脂２３により封止することにより、熱履歴に対して半田寿命が長くなり、駆動回路内蔵モータ４の信頼性を高めることができる。
【００３３】
また、本実施の形態では、図３および図４に示すように、プリント基板２１の形状を、円の一部が欠けた半月形状としている。以下、これによる効果について説明する。
【００３４】
図５は、実施の形態にかかるモータ駆動回路を構成する各部品を実装するプリント基板の平面図である。本実施の形態では、長方形の１枚のプリント基板材３０から、モータ駆動回路３（図１参照）が実装された半月形状のプリント基板２１を６枚材料取りしている。図４を見れば一目瞭然であるが、半月形状のプリント基板２１は、円形のプリント基板に比べ、材料取りが良い。また、図３に示すように、モータ駆動部７を構成する各構成要素の主要部をスルーホール実装型のパワーＩＣの単一パッケージ内に集約してプリント基板２１の反ステータ側に実装することにより、ゲート信号生成部６を構成する各構成要素の主要部を面実装型の専用ＩＣやマイコン等をプリント基板２１のステータ側に効率よく配置することができる。さらに、ゲート信号生成部６を構成する各構成要素の主要部を面実装型の専用ＩＣやマイコン等の単一パッケージ内に集約することにより、モータ駆動回路３を実装するプリント基板２１の小型化を図ることも可能となる。
【００３５】
つぎに、本実施の形態における同期整流について、図６および図７を参照して説明する。図６は、実施の形態にかかるモータ駆動回路において、一相のステータ巻線と各スイッチング素子との接続を示す図である。図６に示す例では、一相のステータ巻線８ａに接続される各上段側スイッチング素子１２，１３および各下段側スイッチング素子１５，１６を示している。
【００３６】
また、図７は、実施の形態にかかるモータ駆動回路におけるスイッチングパターンの一例を示す図である。モータ８がブラシレスＤＣモータである場合、正弦波ＰＷＭ方式や１２０度〜１５０度の矩形波通電の各通電方式が一般的に用いられるが、図７に示す例では、１２０度矩形波通電である例を示している。
【００３７】
図７（ａ）は、上段側スイッチング素子１２用のゲート信号を示し、図７（ｂ）は、下段側スイッチング素子１５用のゲート信号を示し、図７（ｃ）は、上段側スイッチング素子１３用のゲート信号を示し、図７（ｄ）は、下段側スイッチング素子１６用のゲート信号を示し、図７（ｅ）は、上段側スイッチング素子１４用のゲート信号を示し、図７（ｆ）は、下段側スイッチング素子１７用のゲート信号を示している。また、図７（ｇ）は、上段側スイッチング素子１２，１３，１４用のゲート信号を拡大して示し、図７（ｈ）は、下段側スイッチング素子１５，１６，１７用のゲート信号を拡大して示した図である。
【００３８】
ここで、同期整流とは、パルス幅変調を用いたＰＷＭ制御により上段側スイッチング素子がスイッチング動作を行い、他相の下段側スイッチング素子をオン制御している際に、上段側スイッチング素子のオフ期間に同期させて、この上段側スイッチング素子に接続された下段側スイッチング素子をＰＷＭ制御して、下段側スイッチング素子に逆方向電流（還流電流）を流す制御手法である。
【００３９】
例えば、図７に示すＡ期間では、パルス幅変調を用いたＰＷＭ制御により上段側スイッチング素子１２をスイッチング動作させ、下段側スイッチング素子１６をオン制御することにより、上段側スイッチング素子１２、ステータ巻線８ａ、下段側スイッチング素子１６の経路でパルス幅に応じた電流が流れる（図６に示す実線矢印）。ここで、同期整流を行わない場合には、上段側スイッチング素子１２のオフ期間には、この上段側スイッチング素子１２に接続された下段側スイッチング素子１５の寄生ダイオードに還流電流が流れる（図６に示す破線矢印）。
【００４０】
ここで、寄生ダイオードの順方向電圧をＶｆ、ＭＯＳＦＥＴのオン抵抗をＲｏｎ、還流電流をＩとすると、下記（１）式を満たす低負荷条件下では、寄生ダイオードに還流電流が流れる場合に生じる損失よりも、ＭＯＳＦＥＴに逆方向電流（還流電流）が流れる場合に生じる損失の方が小さくなる。
【００４１】
Ｉ＜Ｖｆ／Ｒｏｎ  …（１）
【００４２】
したがって、本実施の形態では、上記（１）式を満たす低負荷条件下において、上述した同期整流を行うこととし、上記(１)式を満たさない高負荷条件下では、同期整流を行わないこととする。これにより、負荷の状態によらず、各下段側スイッチング素子１５，１６，１７の導通損失を低減することができる。
【００４３】
図７に示すように、本実施の形態では、上記（１）式を満たす低負荷条件下において、各上段側スイッチング素子１２，１３，１４のうちのいずれかをＰＷＭ制御によりスイッチング動作させ、他相の下段側スイッチング素子１５，１６，１７をオン制御している際に、上段側スイッチング素子１２，１３，１４のオフ期間に同期させて、この上段側スイッチング素子１２，１３，１４と同相の下段側スイッチング素子１５，１６，１７をＰＷＭ制御して、同期整流を行う。このとき、下段側スイッチング素子１５，１６，１７のオン期間では、ＭＯＳＦＥＴ側に逆方向電流（還流電流）が流れる（図６に示す一点鎖線矢印）。
【００４４】
このとき、図７（ｇ），図７（ｈ）に示すように、上段側スイッチング素子１２，１３，１４のオン期間と同相の下段側スイッチング素子１５，１６，１７のオン期間とが重なり高圧直流電源１が短絡しないように、下段側スイッチング素子１５，１６，１７のオン期間の前後に上段側スイッチング素子１２，１３，１４および下段側スイッチング素子１５，１６，１７が双方共にオフとなる短絡防止時間を設けている。この短絡防止時間では、寄生ダイオード側に還流電流が流れるため、同期整流による各下段側スイッチング素子１５，１６，１７の導通損失低減効果を高めるためには、この短絡防止時間を短縮する必要がある。
【００４５】
この同期整流を実現する際の短絡防止時間としては、各スイッチング素子１２〜１７のオン／オフタイミングのばらつきを許容可能な長さを設定する必要がある。この各スイッチング素子１２〜１７のオン／オフタイミングのばらつき要因としては、各相間の配線の線路インピーダンスのばらつきによる各スイッチング素子１２〜１７用の各ゲート信号波形精度や各ゲート駆動信号波形精度のばらつき、各スイッチング素子１２〜１７間の温度差によるスイッチングスピードのばらつき等が挙げられる。
【００４６】
本実施の形態では、モータ駆動部７を構成する上段側ドライバ回路９、下段側ドライバ回路１０、およびインバータ回路１８を構成する各スイッチング素子１２〜１７をパワーＩＣの単一パッケージ内に封止し、図３に示したように、モータ８とモータ駆動回路３の各部品１０１，１０２，１０３が実装されたプリント基板２１とを組み合わせてモールド樹脂２３で一体化するようにしているので、各信号線の配線長が短くなり、相対的に各相間の配線長差が小さくなる。このため、各相間の配線の線路インピーダンスのばらつきが小さくなり、各スイッチング素子１２〜１７用の各ゲート信号波形精度や各ゲート駆動信号波形精度のばらつきが小さくなる。また、各スイッチング素子１２〜１７間の温度差も小さくなり、各スイッチング素子１２〜１７間のスイッチングスピードのばらつきも小さくなる。
【００４７】
このように、本実施の形態では、上述した各スイッチング素子１２〜１７のオン／オフタイミングのばらつき要因を小さくすることができるので、同期整流を実現する際の短絡防止時間を短縮することができ、同期整流による各下段側スイッチング素子１５，１６，１７の導通損失低減効果を高めることが可能となる。
【００４８】
また、本実施の形態にかかる駆動回路内蔵モータ４は、モータ８とモータ駆動回路３の各部品１０１，１０２，１０３が実装されたプリント基板２１とを組み合わせてモールド樹脂２３で一体化した構成であるので、出荷検査時における短絡破壊耐量等の検査は、モータ８とモータ駆動回路３とが一体化した駆動回路内蔵モータ４として行われ、製品に組み込まれて出荷された後の故障による部品交換の際には、駆動回路内蔵モータ４が１つの部品として扱われる。つまり、モータとモータ駆動回路とが別個に扱われる場合のように、モータおよびモータ駆動回路のいずれか一方のみ交換され、これらの組み合わせによりスイッチングスピードが変化して、上段側スイッチング素子と下段側スイッチング素子とが同時にオンして短絡電流が流れ破壊に至る等のサービス不良を招く虞がない。
【００４９】
また、ＭＯＳＦＥＴのオン抵抗Ｒｏｎは、素子温度に対し単調増加となることは一般的に知られている。本実施の形態では、発熱源であるステータに対し、熱抵抗の大きなプリント基板２１の反ステータ側にパワーＩＣを配置する構造としているため、各スイッチング素子１２〜１７の温度を低く、つまり、各スイッチング素子１２〜１７を構成するＭＯＳＦＥＴのオン抵抗Ｒｏｎを低く保つことができ、同期整流による各下段側スイッチング素子１５，１６，１７の導通損失低減効果を有効に引き出すことができる。
【００５０】
また、本実施の形態にかかるモータ駆動回路３は、インバータ回路１８を構成する各スイッチング素子１２〜１７として、例えば、炭化珪素（ＳｉＣ）や窒化ガリウム（ＧａＮ）系材料、またはダイヤモンド等のワイドバンドギャップ（以下、「ＷＢＧ」という）半導体で形成されたＭＯＳＦＥＴを用いた構成に適用して好適である。
【００５１】
ＷＢＧ半導体により形成されたＭＯＳＦＥＴは、Ｓｉ（シリコン）系半導体により形成されたＭＯＳＦＥＴに比べて高速動作が可能であり、スイッチングの立ち上がり勾配ｄｖ／ｄｔが大きい。したがって、インバータ回路１８を構成する各スイッチング素子１２〜１７として、ＷＢＧ半導体で形成されたＭＯＳＦＥＴを用いることにより、さらに短絡防止時間を短縮することができ、同期整流による各下段側スイッチング素子１５，１６，１７の導通損失低減効果をさらに高めることが可能となる。
【００５２】
また、上述したＷＢＧ半導体により形成されたＭＯＳＦＥＴやスーパージャンクション構造のＭＯＳＦＥＴのようにオン抵抗Ｒｏｎの小さいＭＯＳＦＥＴを各スイッチング素子１２〜１７として適用すれば、同期整流を適用する電流範囲が拡大すると共に、低電流運転における同期整流による各下段側スイッチング素子１５，１６，１７の導通損失低減効果を高めることが可能となる。
【００５３】
また、ゲート信号生成回路６０により生成される各ゲート信号の立ち上がりタイミングや立ち下がりタイミングは、発振回路６１が生成する基準クロック信号をカウントして決定するため、同期整流を実現する際の短絡防止時間の精度は、この基準クロック信号の精度に依存して決まる。
【００５４】
本実施の形態では、図２に示したように、ゲート信号生成部６を構成する他の主要構成部と単一のチップ上に発振周波数決定用コンデンサ６２を形成しているので、上述したように、製造工程におけるレーザトリミングや検査工程における選別を行うことで、発振周波数決定用コンデンサ６２の容量値のばらつきを小さくすることができ、基準クロック信号の発振周波数のばらつきを小さくすることができる。このため、同期整流を実現する際の短絡防止時間の高精度化が可能となり、短絡防止時間の更なる短縮化が可能となる。これにより、同期整流による各下段側スイッチング素子１５，１６，１７の導通損失低減効果をより高めることが可能となる。
【００５５】
図８は、実施の形態にかかる空気調和機の室内機および室外機の概観図である。また、図９は、図８に示す室内機の縦断面図である。本実施の形態にかかる駆動回路内蔵モータ４は、空気調和機５０の室内機５１の送風ファン５３（図９参照）や、室外機５２の送風ファン５４（図８参照）を駆動するモータとして適用して好適である。
【００５６】
空気調和機５０は、一般に、年間消費電力に占める低速運転時間の割合が大きい。この低速運転では、図７（ｇ），図７（ｈ）に示す図において、上段側スイッチング素子１２，１３，１４のオン時間の割合がオフ時間に対して小さくなる。ここで、同期整流を行わない場合には、下段側スイッチング素子１５，１６，１７の寄生ダイオードに還流電流が流れる時間が長くなる。つまり、同期整流を行うことによる各下段側スイッチング素子１５，１６，１７の導通損失低減効果が大きく、年間消費電力の削減が可能となる。
【００５７】
また、空気調和機５０の室内機５１の送風ファン５３や、室外機５２の送風ファン５４用のモータとして適用される場合には、低騒音化のためにスイッチング周波数（キャリア周波数）が非可聴域となる１６ｋＨｚ以上に設定される場合が多い。このような場合には、図７（ｇ），図７（ｈ）に示す図において、上段側スイッチング素子１２，１３，１４のオフ期間に占める短絡防止時間の比率が大きくなり、同期整流を行うことによる各下段側スイッチング素子１５，１６，１７の導通損失低減効果が低下する。本実施の形態の構成では、上述したように短絡防止時間を短縮することが可能であるので、上段側スイッチング素子１２，１３，１４のオフ期間に占める短絡防止時間の比率を下げることができ、同期整流を行うことによる各下段側スイッチング素子１５，１６，１７の導通損失低減効果を向上させることができる。
【００５８】
また、例えば、送風ファン５３，５４に異物が吸い込まれモータがロックして電流制限がかかると、図７（ｇ），図７（ｈ）に示す図において、上段側スイッチング素子１２，１３，１４のオン時間が極端に短くなる。つまり、同期整流を行わない場合には、下段側スイッチング素子１５，１６，１７の寄生ダイオードに還流電流が流れる時間がより長くなり、各下段側スイッチング素子１５，１６，１７の導通損失が大きくなり、パワーＩＣの温度が上昇する。送風ファン５３，５４のモータがロックした場合、自己冷却が不能となるため、パワーＩＣの温度上昇が最大となる。この状態を想定してパワーＩＣの放熱設計を行うと、放熱フィン等の冷却装置が必要となる等、放熱構造が複雑化してモータが大きくなる。同期整流を行う場合には、各下段側スイッチング素子１５，１６，１７の導通損失を低減することができるので、モータのロック時においても、パワーＩＣの温度上昇を抑制することができ、放熱構造の簡略化や、これに伴いモータの小型化を図ることが可能となる。
【００５９】
また、本実施の形態にかかる駆動回路内蔵モータ４を、例えば、年間消費電力に占める低速運転時間の割合が大きい２４時間換気タイプの換気扇に適用しても、同様の効果を得られることは言うまでもない。
【００６０】
図１０は、実施の形態にかかる駆動回路内蔵ポンプモータの縦断面図である。図７に示す駆動回路内蔵ポンプモータ７０では、インペラ７１と、ポンプハウジング７２と、流体がプリント基板２１やステータ８０に流れ込むのを防ぐためのカップ７４とを有し、ロータマグネット７３とステータ８０との間にカップ７４が介在している。
【００６１】
このような駆動回路内蔵ポンプモータ７０において、例えば、インペラ７１とポンプハウジング７２との間や、ロータマグネット７３とカップ７４との間に異物が混入して軸ロックが発生した場合には、上述した空気調和機５０の送風ファン５３，５４に異物が吸い込まれモータがロックした場合と同様の効果を得ることができる。つまり、同期整流を行うことにより、パワーＩＣの温度上昇を抑制することができ、放熱構造の簡略化や小型化を図ることが可能となる。
【００６２】
また、このような駆動回路内蔵ポンプモータ７０を、例えば、ヒートポンプ給湯機や内蔵冷温水循環式空調機に適用しても、同様の効果を得られることは言うまでもない。
【００６３】
以上説明したように、実施の形態のモータ駆動回路、およびそれを内蔵した駆動回路内蔵モータならびに駆動回路内蔵ポンプモータ、およびそれらを搭載した空気調和機、換気扇、ヒートポンプ給湯機、ならびに内蔵冷温水循環式空調機によれば、上段側スイッチング素子のオフ期間において、下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎを満たす低負荷条件下において、同期整流を行うこととし、Ｉ＜Ｖｆ／Ｒｏｎを満たさない高負荷条件下では、同期整流を行わないこととしたので、負荷の状態によらず、各下段側スイッチング素子の導通損失を低減することができる。
【００６４】
また、モータ駆動部を構成する上段側ドライバ回路、下段側ドライバ回路、およびインバータ回路を構成する各スイッチング素子をパワーＩＣの単一パッケージ内に封止し、モータとモータ駆動回路の各部品が実装されたプリント基板とを組み合わせてモールド樹脂で一体化した構成であるので、各信号線の配線長が短くなり、相対的に各相間の配線長差が小さくなる。このため、各相間の配線の線路インピーダンスのばらつきが小さくなり、各スイッチング素子用の各ゲート信号波形精度や各ゲート駆動信号波形精度のばらつきが小さくなる。また、各スイッチング素子間の温度差も小さくなり、各スイッチング素子間のスイッチングスピードのばらつきも小さくなる。したがって、各スイッチング素子のオン／オフタイミングのばらつき要因を小さくすることができるので、同期整流を実現する際の短絡防止時間を短縮することができ、各下段側スイッチング素子の導通損失低減効果を高めることが可能となる。
【００６５】
また、本実施の形態にかかる駆動回路内蔵モータは、上述したようにモータとモータ駆動回路とを組み合わせてモールド樹脂で一体化した構成であるので、モータとモータ駆動回路とが別個に扱われる場合のように、モータおよびモータ駆動回路のいずれか一方のみ交換され、これらの組み合わせによりスイッチングスピードが変化して、上段側スイッチング素子と下段側スイッチング素子とが同時にオンして短絡電流が流れ破壊に至る等のサービス不良を招く虞がない。
【００６６】
また、インバータ回路を構成する各スイッチング素子として、ＭＯＳＦＥＴを用いた構成とし、発熱源であるステータに対し、熱抵抗の大きなプリント基板の反ステータ側にパワーＩＣを配置する構造としているため、各スイッチング素子の温度を低く、つまり、各スイッチング素子を構成するＭＯＳＦＥＴのオン抵抗を低く保つことができるので、同期整流による各下段側スイッチング素子の導通損失低減効果を有効に引き出すことができる。
【００６７】
また、インバータ回路を構成する各スイッチング素子として、スイッチングの立ち上がり勾配ｄｖ／ｄｔが大きいＷＢＧ半導体で形成されたＭＯＳＦＥＴを用いることにより、さらに短絡防止時間を短縮することができ、同期整流による各下段側スイッチング素子の導通損失低減効果をさらに高めることが可能となる。
【００６８】
また、上述したＷＢＧ半導体により形成されたＭＯＳＦＥＴやスーパージャンクション構造のＭＯＳＦＥＴのようにオン抵抗の小さいＭＯＳＦＥＴを各スイッチング素子として適用することにより、同期整流を適用する電流範囲が拡大すると共に、低電流運転における同期整流による各下段側スイッチング素子の導通損失低減効果を高めることが可能となる。
【００６９】
また、ゲート信号生成部を構成する他の主要構成部と単一のチップ上に発振周波数決定用コンデンサを形成しているので、製造工程におけるレーザトリミングや検査工程における選別を行うことで、発振周波数決定用コンデンサの容量値のばらつきを小さくすることができ、基準クロック信号の発振周波数のばらつきを小さくすることができる。このため、同期整流を実現する際の短絡防止時間の高精度化が可能となり、短絡防止時間の更なる短縮化が可能となる。これにより、同期整流による各下段側スイッチング素子の導通損失低減効果をより高めることが可能となる。
【００７０】
また、応力によって半田切れの発生し易い面実装型部品をプリント基板のステータ側に実装すると共に、スルーホール実装型部品をプリント基板の反ステータ側に実装することにより、プリント基板の半田付け工程を面実装型部品が実装されたステータ側の面の半田フロー工程のみとすることができ、駆動回路内蔵モータを構成するモータ駆動回路の製造コストを低減することができる。さらに、このプリント基板のステータ側の面をステータに面して配置し、プリント基板上のモータ駆動回路とステータとを電気的に結合してモールド樹脂により封止することにより、熱履歴に対して半田寿命が長くなり、駆動回路内蔵モータの信頼性を高めることができる。
【００７１】
また、モータ駆動部を構成する各構成要素の主要部を単一パッケージ内に封止したスルーホール実装型のパワーＩＣとして構成し、ゲート信号生成部を構成する各構成要素の主要部を単一パッケージ内に封止した面実装型の専用ＩＣあるいはマイコンとして構成することにより、モータ駆動回路を実装するプリント基板の小型化を図ることができる。
【００７２】
また、モータ駆動回路を実装するプリント基板の外形を半月形状とすることにより、外形が円形であるよりも１枚のプリント基板材から効率よく材料取りを行うことができる。
【００７３】
また、本実施の形態にかかる駆動回路内蔵モータは、空気調和機の室内機の送風ファンや、室外機の送風ファンを駆動するモータとして適用して好適である。空気調和機は、一般に、年間消費電力に占める低速運転時間の割合が大きいため、上段側スイッチング素子のオン時間の割合がオフ時間に対して小さくなる。つまり、同期整流を行うことによる導通損失低減効果が大きく、年間消費電力の削減が可能となる。
【００７４】
また、空気調和機の室内機や室外機の送風ファン用のモータとして適用される場合に、低騒音化のためにスイッチング周波数（キャリア周波数）が非可聴域となる１６ｋＨｚ以上に設定された場合でも、短絡防止時間を短縮することが可能であるので、上段側スイッチング素子のオフ期間に占める短絡防止時間の比率を下げることができ、同期整流を行うことによる各下段側スイッチング素子の導通損失低減効果を向上させることができる。
【００７５】
また、例えば、送風ファンに異物が吸い込まれモータがロックして上段側スイッチング素子のオン時間が極端に短くなった場合でも、同期整流により各下段側スイッチング素子の導通損失を低減することができるので、パワーＩＣの温度上昇を抑制することができ、放熱構造の簡略化や、これに伴いモータの小型化を図ることが可能となる。
【００７６】
また、本実施の形態にかかる駆動回路内蔵モータを、例えば、年間消費電力に占める低速運転時間の割合が大きい２４時間換気タイプの換気扇に適用しても、同様の効果を得られる。
【００７７】
また、駆動回路内蔵ポンプモータの駆動回路として、本実施の形態にかかるモータ駆動回路を適用した場合には、内部に異物が混入して軸ロックが発生した場合でも、上述した空気調和機の送風ファンに異物が吸い込まれモータがロックした場合と同様の効果を得ることができる。つまり、同期整流を行うことにより、パワーＩＣの温度上昇を抑制することができ、放熱構造の簡略化や小型化を図ることが可能となる。
【００７８】
また、このような駆動回路内蔵ポンプモータを、例えば、ヒートポンプ給湯機や内蔵冷温水循環式空調機に適用しても、同様の効果を得られる。
【００７９】
なお、上述した実施の形態において説明したＷＢＧ半導体により構成されたスイッチング素子を用いることによる効果は、上述した効果にとどまらない。
【００８０】
例えば、ＷＢＧ半導体で形成されたＭＯＳＦＥＴは、耐電圧性が高く、許容電流密度も高いため、小型化が可能であり、これら小型化されたＭＯＳＦＥＴを用いてパワーＩＣを構成することにより、パワーＩＣの小型化が可能となる。
【００８１】
また、ＷＢＧ半導体で形成されたＭＯＳＦＥＴは、耐熱性も高いため、パワーＩＣの放熱構造を簡素化することが可能であるので、このパワーＩＣを実装したモータ駆動回路や、それを内蔵した駆動回路内蔵モータならびに駆動回路内蔵ポンプモータの小型化が可能となる。
【００８２】
また、上述した実施の形態では、ゲート信号生成部を構成する他の主要構成部と単一のチップ上に発振周波数決定用コンデンサを形成し、この発振周波数決定用コンデンサと発振周波数決定用抵抗とによりゲート信号の基準となる基準クロック信号を生成する例を示したが、発振周波数のばらつきの少ないセラミック発振子や水晶発振子を用いて基準クロック信号を生成するようにしても、同等の効果が得られることは言うまでもない。
【００８３】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００８４】
１  高圧直流電源、２  低圧直流電源、３  モータ駆動回路、４  駆動回路内蔵モータ、５  位置検出センサ（ホールＩＣ）、６  ゲート信号生成部、７  モータ駆動部、８  モータ、９  上段側ドライバ回路、１０  下段側ドライバ回路、１１  ブートストラップダイオード、１２〜１４  上段側スイッチング素子（ＭＯＳＦＥＴ）、１５〜１７  下段側スイッチング素子（ＭＯＳＦＥＴ）、１８  インバータ回路、１９  外部接続リード、２１  プリント基板、２２  接続端子、２３  モールド樹脂、２４  ベアリングハウジング、２５  ロータ貫通用穴、３０  プリント基板材、５０  空気調和機、５１  室内機、５２  室外機、５３  送風ファン（室内機）、５４  送風ファン（室外機）、７０  駆動回路内蔵ポンプモータ、７１  インペラ、７２  ポンプハウジング、７３  ロータマグネット、７４  カップ、８０  ステータ、１０１  スルーホール実装型部品（パワーＩＣ）、１０２  面実装型部品（専用ＩＣあるいはマイコン）、１０３  面実装型部品（ホールＩＣ）、１０４  スルーホール実装型部品（コネクタ部品）。
【図１】
2014054096.tif 000003
【図２】
2014054096.tif 000004
【図３】
2014054096.tif 000005
【図４】
2014054096.tif 000006
【図５】
2014054096.tif 000007
【図６】
2014054096.tif 000008
【図７】
2014054096.tif 000009
【図８】
2014054096.tif 000010
【図９】
2014054096.tif 000011
【図１０】
2014054096.tif 000012
【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
ロータの位置を検出する位置検出センサと、
ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、
前記各上段側スイッチング素子を駆動する上段側ドライバ回路と、
前記各下段側スイッチング素子を駆動する下段側ドライバ回路と、
前記位置検出センサからの位置検出信号と外部から入力される出力電圧指令とに基づいて、前記インバータ回路を駆動するためのゲート信号を生成するゲート信号生成部と、
を備え、
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行うモータ駆動回路。
【請求項２】
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記上段側スイッチング素子に接続される同相の前記下段側スイッチング素子以外の前記下段側スイッチング素子をオン制御している際、前記上段側スイッチング素子のオフ期間に同期させて前記同相の前記下段側スイッチング素子をスイッチングする同期整流を行う請求項１に記載のモータ駆動回路。
【請求項３】
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たさない条件下においては、前記同期整流を行わない請求項１または２に記載のモータ駆動回路。
【請求項４】
前記インバータ回路、前記上段側ドライバ回路、および前記下段側ドライバ回路が単一のパッケージ内に構成され、当該パッケージと前記ゲート信号生成部とが単一のプリント基板上に実装され、当該プリント基板とモータとがモールド樹脂により一体化されて駆動回路内蔵モータが構成される請求項１に記載のモータ駆動回路。
【請求項５】
前記ゲート信号生成部は、前記ゲート信号の基準となる基準クロック信号の発振周波数を決定する発振周波数決定用コンデンサを含み単一のチップ上に構成された請求項４に記載のモータ駆動回路。
【請求項６】
前記ＭＯＳＦＥＴは、ワイドバンドギャップ半導体によって形成されている請求項１に記載のモータ駆動回路。
【請求項７】
前記ＭＯＳＦＥＴは、スーパージャンクション構造のＭＯＳＦＥＴである請求項１に記載のモータ駆動回路。
【請求項８】
前記プリント基板の外形が半月形状である請求項４に記載のモータ駆動回路。
【請求項９】
請求項４，５，８のいずれか一項に記載のモータ駆動回路を内蔵し、
前記モータ駆動回路を構成する各部品のうち、面実装型部品を前記プリント基板の一方の面に実装すると共に、スルーホール実装型部品を前記プリント基板の他方の面に実装し、
前記プリント基板の前記面実装型部品を実装した面をステータに面して配置し、該プリント基板上の前記モータ駆動回路と前記ステータとを電気的に結合して前記モールド樹脂により封止して構成した駆動回路内蔵モータ。
【請求項１０】
前記インバータ回路、前記上段側ドライバ回路、および前記下段側ドライバ回路が単一のパッケージ内に構成された前記スルーホール実装型部品として構成され、前記ゲート信号生成部が単一のパッケージ内に構成された前記面実装型部品として構成された請求項９に記載の駆動回路内蔵モータ。
【請求項１１】
請求項９または１０に記載の駆動回路内蔵モータを搭載した空気調和機。
【請求項１２】
請求項９または１０に記載の駆動回路内蔵モータを搭載した換気扇。
【請求項１３】
請求項１〜８のいずれか一項に記載のモータ駆動回路を内蔵した駆動回路内蔵ポンプモータ。
【請求項１４】
請求項１３に記載の駆動回路内蔵ポンプモータを搭載したヒートポンプ給湯機。
【請求項１５】
請求項１３に記載の駆動回路内蔵ポンプモータを搭載した内蔵冷温水循環式空調機。
【手続補正２】
【補正対象書類名】明細書
【補正対象項目名】０００６
【補正方法】変更
【補正の内容】
【０００６】
上述した課題を解決し、目的を達成するため、本発明にかかるモータ駆動回路は、ロータの位置を検出する位置検出センサと、ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、前記各上段側スイッチング素子を駆動する上段側ドライバ回路と、前記各下段側スイッチング素子を駆動する下段側ドライバ回路と、前記位置検出センサからの位置検出信号と外部から入力される出力電圧指令とに基づいて、前記インバータ回路を駆動するためのゲート信号を生成するゲート信号生成部と、を備え、前記ゲート信号生成部は、前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行う。
【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
ロータの位置を検出する位置検出センサと、
ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、
前記各上段側スイッチング素子を１２０度通電で矩形波駆動する上段側ドライバ回路と、
前記各下段側スイッチング素子を１２０度通電で矩形波駆動する下段側ドライバ回路と、
前記位置検出センサからの位置検出信号と外部から入力される出力電圧指令とに基づいて、前記インバータ回路を駆動するためのゲート信号を生成するゲート信号生成部と、
を備え、
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行うモータ駆動回路。
【請求項２】
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記上段側スイッチング素子に接続される同相の前記下段側スイッチング素子以外の前記下段側スイッチング素子をオン制御している際、前記上段側スイッチング素子のオフ期間に同期させて前記同相の前記下段側スイッチング素子をスイッチングする同期整流を行う請求項１に記載のモータ駆動回路。
【請求項３】
前記ゲート信号生成部は、
前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たさない条件下においては、前記同期整流を行わない請求項１または２に記載のモータ駆動回路。
【請求項４】
前記インバータ回路、前記上段側ドライバ回路、および前記下段側ドライバ回路が単一のパッケージ内に構成され、当該パッケージと前記ゲート信号生成部とが単一のプリント基板上に実装され、当該プリント基板とモータとがモールド樹脂により一体化されて駆動回路内蔵モータが構成される請求項１に記載のモータ駆動回路。
【請求項５】
前記ゲート信号生成部は、前記ゲート信号の基準となる基準クロック信号の発振周波数を決定する発振周波数決定用コンデンサを含み単一のチップ上に構成された請求項４に記載のモータ駆動回路。
【請求項６】
前記ＭＯＳＦＥＴは、ワイドバンドギャップ半導体によって形成されている請求項１に記載のモータ駆動回路。
【請求項７】
前記ＭＯＳＦＥＴは、スーパージャンクション構造のＭＯＳＦＥＴである請求項１に記載のモータ駆動回路。
【請求項８】
前記プリント基板の外形が半月形状である請求項４に記載のモータ駆動回路。
【請求項９】
請求項４，５，８のいずれか一項に記載のモータ駆動回路を内蔵し、
前記モータ駆動回路を構成する各部品のうち、面実装型部品を前記プリント基板の一方の面に実装すると共に、スルーホール実装型部品を前記プリント基板の他方の面に実装し、
前記プリント基板の前記面実装型部品を実装した面をステータに面して配置し、該プリント基板上の前記モータ駆動回路と前記ステータとを電気的に結合して前記モールド樹脂により封止して構成した駆動回路内蔵モータ。
【請求項１０】
前記インバータ回路、前記上段側ドライバ回路、および前記下段側ドライバ回路が単一のパッケージ内に構成された前記スルーホール実装型部品として構成され、前記ゲート信号生成部が単一のパッケージ内に構成された前記面実装型部品として構成された請求項９に記載の駆動回路内蔵モータ。
【請求項１１】
請求項９または１０に記載の駆動回路内蔵モータを搭載した空気調和機。
【請求項１２】
請求項９または１０に記載の駆動回路内蔵モータを搭載した換気扇。
【請求項１３】
請求項１〜８のいずれか一項に記載のモータ駆動回路を内蔵した駆動回路内蔵ポンプモータ。
【請求項１４】
請求項１３に記載の駆動回路内蔵ポンプモータを搭載したヒートポンプ給湯機。
【請求項１５】
請求項１３に記載の駆動回路内蔵ポンプモータを搭載した内蔵冷温水循環式空調機。
【手続補正２】
【補正対象書類名】明細書
【補正対象項目名】０００６
【補正方法】変更
【補正の内容】
【０００６】
上述した課題を解決し、目的を達成するため、本発明にかかるモータ駆動回路は、ロータの位置を検出する位置検出センサと、ＭＯＳＦＥＴと該ＭＯＳＦＥＴに逆並列に接続された寄生ダイオードとからなる複数の上段側スイッチング素子および複数の下段側スイッチング素子がブリッジ接続されて構成され、ステータ巻線に駆動電流を供給するインバータ回路と、前記各上段側スイッチング素子を１２０度通電で矩形波駆動する上段側ドライバ回路と、前記各下段側スイッチング素子を１２０度通電で矩形波駆動する下段側ドライバ回路と、前記位置検出センサからの位置検出信号と外部から入力される出力電圧指令とに基づいて、前記インバータ回路を駆動するためのゲート信号を生成するゲート信号生成部と、を備え、前記ゲート信号生成部は、前記ゲート信号を生成する際に、前記上段側スイッチング素子のオフ期間において、前記下段側スイッチング素子に流れる還流電流をＩ、前記寄生ダイオードの順方向電圧をＶｆ、前記ＭＯＳＦＥＴのオン抵抗をＲｏｎとしたとき、Ｉ＜Ｖｆ／Ｒｏｎの関係を満たす条件下において、前記還流電流が流れるタイミングに同期して前記下段側スイッチング素子をオン制御する同期整流を行う。
【国際調査報告】
2014054096.tif 000013
2014054096.tif 000014
2014054096.tif 000015
2014054096.tif 000016